(57)【要約】【課題】  本発明は、軌道設備のための、力一体的で弾性的なレール締結装置であって、このレール締結装置が、弾性的な材料、特に硬化されたばね鋼から成る締付け部材１を有しており、この締付け部材が、組み付けられた状態において、枕木２に沿って設けられた保持板３と、固定アンカー４との間で、この締付け部材が、レール６のレール底部５の上に、保持力を作用するように固定されており、これによってこのレール６が定位置において保持され、その際、この締付け部材１が、このレール６の長手方向軸線８の上に鉛直に立っている、垂直方向に指向された対称面７に対して、対称的に形成されている様式の、上記レール締結装置に関する。【解決手段】  段付けされた過負荷保護を達成するために、本発明により、締付け部材１が、２つの、有利には基本的に互いに指向する平行にねじり脚部１ａ′、１ａ″を有しており、これらねじり脚部が、組み付けられた状態において、少なくとも十分に、保持板３と固定アンカー４との間に設けられており、その際、これら両方のねじり脚部１ａ′、１ａ″が、レール６と反対側において、結合部分１ｂによって互いに結合されていること、および、このレール６の方を向いた、これらねじり脚部１ａ′、１ａ″の端部１ｃ′、１ｃ″において、それぞれ１つの、バックル形状の締付け部分１ｄ′、１ｄ″が設けられており、バックル形状に締付け部分１ｄ′、１ｄ″の端部１ｅ′、１ｅ″がこれらねじり脚部１ａ′、１ａ″の端部１ｃ′、１ｃ″の領域に到達する程度まで延在するために、この締付け部分が、これらねじり脚部１ａ′、１ａ″に引き続いて、先ず第一に、基本的に面７に対して垂直方向に延在しており、この領域で、これら締付け部分の端部１ｅ′、１ｅ″が、レール底部５の上で当接面を形成すること、その際、締付け部材１の締付けられていない状態において、これらねじり脚部１ａ′、１ａ″が、結合部分１ｂと共に、基本的に、第１の面９内において位置しており、且つ、バックル形状の締付け部分１ｄ′、１ｄ″の少なくとも一部分が、第２の面１０内において位置しており、その際、この第２の面１０が、この第１の面９に対して、軸線１１を中心として回転されており、この軸線が、この第１の面９でもっての、対称面７の切断軸線に対して平行に指向している。
2008523274.tif 000002
【特許請求の範囲】
【請求項１】
軌道設備のための、力一体的で弾性的なレール締結装置であって、
このレール締結装置が、弾性的な材料、特に硬化されたばね鋼から成る締付け部材（１）を有しており、
この締付け部材が、組み付けられた状態において、枕木（２）に沿って設けられた保持板（３）と、固定アンカー（４）との間で、この締付け部材が、レール（６）のレール底部（５）の上に、保持力を作用するように固定されており、これによってこのレール（６）が定位置において保持され、
その際、この締付け部材（１）が、このレール（６）の長手方向軸線（８）の上に鉛直に立っている、垂直方向に指向された対称面（７）に対して、対称的に形成されている様式の、上記レール締結装置において、
締付け部材（１）が、２つのねじり脚部（１ａ′、１ａ″）を有しており、
これらねじり脚部が、組み付けられた状態において、少なくとも十分に、保持板（３）と固定アンカー（４）との間に設けられており、その際、これら両方のねじり脚部（１ａ′、１ａ″）が、レール（６）と反対側において、結合部分（１ｂ）によって互いに結合されていること、および、
このレール（６）の方を向いた、これらねじり脚部（１ａ′、１ａ″）の端部（１ｃ′、１ｃ″）において、それぞれ１つの、バックル形状の締付け部分（１ｄ′、１ｄ″）が設けられており、バックル形状に締付け部分（１ｄ′、１ｄ″）の端部（１ｅ′、１ｅ″）がこれらねじり脚部（１ａ′、１ａ″）の端部（１ｃ′、１ｃ″）の領域に到達する程度まで延在するために、
この締付け部分が、これらねじり脚部（１ａ′、１ａ″）に引き続いて、先ず第一に、基本的に面（７）に対して垂直方向に延在しており、この領域で、これら締付け部分の端部（１ｅ′、１ｅ″）が、レール底部（５）の上で当接面を形成すること、
その際、締付け部材（１）の締付けられていない状態において、
これらねじり脚部（１ａ′、１ａ″）が、結合部分（１ｂ）と共に、基本的に、第１の面（９）内において位置しており、且つ、バックル形状の締付け部分（１ｄ′、１ｄ″）の少なくとも一部分が、第２の面（１０）内において位置しており、その際、この第２の面（１０）が、この第１の面（９）に対して、軸線（１１）を中心として回転されており、この軸線が、この第１の面（９）でもっての、対称面（７）の切断軸線に対して平行に指向している、
ことを特徴とするレール締結装置。
【請求項２】
組み付けられた状態において、締付け部材の第２の面（１０）は、十分に第１の面（９）と一致していることを特徴とする請求項１に記載のレール締結装置。
【請求項３】
締付け部材（１）の両方のねじり脚部（１ａ′、１ａ″）は、基本的に、互いに平行に指向していることを特徴とする請求項１または２に記載のレール締結装置。
【請求項４】
バックル形状の締付け部分（１ｄ′、１ｄ″）は、締付け部材（１）の組み付けられた状態において、および、レール（６）の通常の負荷のもとで、ただこの締付け部分（１ｄ′、１ｄ″）の端部（１ｅ′、１ｅ″）だけでもって、レール底部（５）と接触していることを特徴とする請求項１から３のいずれか一つに記載のレール締結装置。
【請求項５】
締付け部分（１ｄ′、１ｄ″）の端部（１ｅ′、１ｅ″）は、この組み付けられた状態において、保持板（３）内におけるこの端部のために設けられた窪み部（２５）内へと係合するように構成されていることを特徴とする請求項１から３のいずれか一つに記載のレール締結装置。
【請求項６】
保持板（３）内における窪み部（２５）は、係止突出部を有していることを特徴とする請求項５に記載のレール締結装置。
【請求項７】
バックル形状の締付け部分（１ｄ′、１ｄ″）は、ねじり脚部（１ａ′、１ａ″）の端部（１ｃ′、１ｃ″）から、先ず第一に、基本的に面（７）に対して垂直方向に指向し、湾曲形状の経過において再びこのレール（６）へと指向するために、
次いで、レール（６）から離れるように指向する方向へと延在していることを特徴とする請求項１から６のいずれか一つに記載のレール締結装置。
【請求項８】
バックル形状の締付け部分（１ｄ′、１ｄ″）は、部分的に、Ｓ字形の経過を有していることを特徴とする請求項７に記載のレール締結装置。
【請求項９】
バックル形状の締付け部分（１ｄ′、１ｄ″）は、平面図において、基本的に円形または長円形に形成されており、もしくは、円形の部分または長円形の部分を有していることを特徴とする請求項１から８のいずれか一つに記載のレール締結装置。
【請求項１０】
バックル形状の締付け部分（１ｄ′、１ｄ″）は、ねじり脚部（１ａ′、１ａ″）に引き続いて、先ず第一に、基本的に、垂直方向に、対称面（７）から離れるように延在していることを特徴とする請求項１から９のいずれか一つに記載のレール締結装置。
【請求項１１】
第１の面（９）と第２の面（１０）との間の角度（α）は、締付け部材（１）の締め付けされていない状態において、５°と３０°との間にあることを特徴とする請求項１から１０のいずれか一つに記載のレール締結装置。
【請求項１２】
バックル形状の締付け部分（１ｄ′、１ｄ″）の端部（１ｅ′、１ｅ″）は、直線部分（１ｆ′、１ｆ″）として形成されていることを特徴とする請求項１から１１のいずれか一つに記載のレール締結装置。
【請求項１３】
直線部分（１ｆ′、１ｆ″）は、互いに平行に指向していることを特徴とする請求項１２に記載のレール締結装置。
【請求項１４】
バックル形状の締付け部分（１ｄ′、１ｄ″）の端部（１ｅ′、１ｅ″）、特に、直線部分（１ｆ′、１ｆ″）は、溝形状の凹部（１ｇ′、１ｇ″）を有しており、この溝形状の凹部が、レール底部（５）の上での載置面として形成されていることを特徴とする請求項１から１３のいずれか一つに記載のレール締結装置。
【請求項１５】
それぞれのバックル形状の締付け部分（１ｄ′、１ｄ″）は、第１の当接面（１ｈ′、１ｈ″）を、この締付け部分（１ｄ′、１ｄ″）の側面領域（１ｉ′、１ｉ″）内において、レール底部（５）に沿っての当接のために有しており、
この第１の当接面が、レール（６）に対して作用する力の第１の過負荷状況の場合に、レール底部（５）と接触するように構成されていることを特徴とする請求項１から１４のいずれか一つに記載のレール締結装置。
【請求項１６】
それぞれのバックル形状の締付け部分（１ｄ′、１ｄ″）は、第２の当接面（１ｋ′、１ｋ″）を、固定アンカー（４）に沿っての当接のために有しており、
この第２の当接面が、第１の過負荷状況を越える、レール（６）に対して作用する力の第２のより強度な過負荷状況の場合に、固定アンカー（４）と接触するように構成されていることを特徴とする請求項１５に記載のレール締結装置。
【請求項１７】
保持板（３）は、レール床板（２８）内において一体にまとめられていることを特徴とする請求項１から１６のいずれか一つに記載のレール締結装置。
【請求項１８】
保持板（３）と固定アンカー（４）は、２つの部材から成るように形成されていることを特徴とする請求項１から１７のいずれか一つに記載のレール締結装置。
【請求項１９】
保持板（３）と固定アンカー（４）は、Ｔ字形フックねじ（２６）を用いて結合されているか、または、ばらばらに成らないようにされていることを特徴とする請求項１８に記載のレール締結装置。
【請求項２０】
固定アンカー（４）は、板状に形成されており、且つ、枕木用ねじ（１２）によって固定されることを特徴とする請求項１から１９のいずれか一つに記載のレール締結装置。
【請求項２１】
保持板（３）と固定アンカー（４）は、１つの部材から成るように形成されていることを特徴とする請求項１から１７のいずれか一つに記載のレール締結装置。
【請求項２２】
固定アンカー（４）は、この固定アンカーの下側面（１３）において、
この固定アンカーの、レール（６）の方を向いた、側方の端部領域（１４′、１４″）内において、当接面（１５′、１５″）を、バックル形状の締付け部分（１ｄ′、１ｄ″）のために有していることを特徴とする請求項１から２１のいずれか一つに記載のレール締結装置。
【請求項２３】
固定アンカー（４）は、この固定アンカーの下側面（１３）において、
この固定アンカーの、レール（６）と反対側の側方の端部領域（１６′、１６″）内において、それぞれに１つの第１の溝形状の係止凹部（１７′、１７″）を、予組み付け状態における締付け部材（１）の係止のために有していることを特徴とする請求項１から２２のいずれか一つに記載のレール締結装置。
【請求項２４】
固定アンカー（４）は、この固定アンカーの下側面（１３）において、
この固定アンカーの、レール（６）と反対側の側方の端部領域（１６′、１６″）内において、それぞれに１つの第２の溝形状の係止凹部（１８′、１８″）を、中立状態における締付け部材（１）の係止のために有していることを特徴とする請求項１から２３のいずれか一つに記載のレール締結装置。
【請求項２５】
固定アンカー（４）は、この固定アンカーの下側面（１３）において、２つの溝形状の当接面（１９′、１９″）を、最終組み付けされた状態におけるねじり脚部（１ａ′、１ａ″）の当接のために有していることを特徴とする請求項１から２４のいずれか一つに記載のレール締結装置。
【請求項２６】
固定アンカー（４）は、枕木用ねじ（１２）、もしくは、この枕木用ねじと結合された円盤状の座金によって形成されていることを特徴とする請求項１から２０、または２２から２５のいずれか一つに記載のレール締結装置。
【請求項２７】
保持板（３）は、２つの、レール（６）の長手方向軸線（８）に対して垂直方向に延在する、アーチ状の凹部（２０′、２０″）を、締付け部材の組み付けの際の、この締付け部材（１）の案内のために有していることを特徴とする請求項１から２６のいずれか一つに記載のレール締結装置。
【請求項２８】
保持板（３）は、２つの当接面（２１′、２１″）を、締付け部材の組み付けられた状態における、締付け部材（１）の当接のために有していることを特徴とする請求項１から２７のいずれか一つに記載のレール締結装置。
【請求項２９】
保持板（３）は、この保持板の下側面（２２）において、レール（６）の長手方向軸線（８）の方向に延在する突出部（２３）を、枕木（２）内における、相応する窪み部（２４）内への係合のために有していることを特徴とする請求項１から２８のいずれか一つに記載のレール締結装置。
【発明の詳細な説明】
【技術分野】
【０００１】
本発明は、軌道設備のための、力一体的で弾性的なレール締結装置であって、
このレール締結装置が、弾性的な材料、特に硬化されたばね鋼から成る締付け部材を有しており、
この締付け部材が、組み付けられた状態において、枕木に沿って設けられた保持板と、固定アンカーとの間で、この締付け部材が、レールのレール底部の上に、保持力を作用するように固定されており、これによってこのレールが定位置において保持され、
その際、この締付け部材が、このレールの長手方向軸線の上に鉛直に立っている、垂直方向に指向された対称面に対して、対称的に形成されている様式の、上記レール締結装置に関する。
【背景技術】
【０００２】
冒頭に記載した様式のレール締結装置は、ドイツ連邦共和国特許第３４  ００  １１０号明細書（特許文献１）から公知である。そこでは、締付け部材が使用され、この締付け部材は、組み付けられた状態において、保持板と固定アンカーとの間に設けられている。この締付け部材は、その際に、２つの脚部を有しており、これら脚部が、ねじり要素として形成されている。これらねじり脚部は、２つの平行に、互いに並列して位置している、棒ばね部分を有しており、これら棒ばね部分が、１つの部材から成るように、締付け部分を形成し、且つ基本的にこれら締付け部分に対して横方向に外方へと湾曲されたバックル部によって結合されている。このねじり脚部のこれら両方の棒ばね部分は、接続横棒を介して接続されている。このねじり脚部のこれら両方の、外側の棒ばね部分は、接続横棒の後方で間隔を持ってそれぞれ１つのＵ字形の湾曲部を有しており、この湾曲部が、この湾曲部の自由な端部分でもって、この接続横棒の上で支持されており、
これに対して、このレール締結装置の固定部材が、中間ウェブに引き続いて、および、レール底部の傍らに設けられた、締付け部材の締付け部分のためのせり上がり傾斜部の上方にそれぞれに間隔を持って、
２つの、反対側に向かって突き出している支持フランジを、この締付け部材のねじり脚部のために有している。
【０００３】
ドイツ連邦共和国特許第３９  １８  ０９１号明細書（特許文献２）から、冒頭に記載した様式のレール締結装置が公知であり、このレール締結装置の場合、締付け部材のエプシロン字形に形成された外側脚部の部分は、間隔の増大のもとで、内側脚部からレール底部に向かって拡幅されている。この締付け部材の、これら互いに向かい合って近づくように整向された自由な端部は、これら内側脚部の外側で終端している。この締付け部材は、更に、中間ウェブが、既組み付け状態において、小さな間隔で、このレール底部の上で位置するに至り、且つ、予組み付け状態において、この中間ウェブの内側面でもって、枕木用ねじの軸に密接するように形成されている。
【０００４】
これら公知の解決策の１つの解決策において、締付け部材は、確かに、この締付け部材の役目、即ち、枕木に沿ってのレールの良好な保持を行なうことの役目を満たす。しかしながら、この締付け部材は、比較的に大きく、且つ複雑に形成されている。従って、相応して高い製造経費を伴い、このことは、これら締付け部材の製造コストを上昇させる。
【０００５】
更に、これら公知の締付け部材は、以下の問題：即ち、力でもっての、レールの通常と異なる高い負荷の際に、このレールの傾倒が起こり得るという問題に関する如何なる十分な解決策も提供しない。
この締付け部材のねじり脚部、および、枕木ねじ止め部は、このレールの傾倒の生起の際に、高い荷重が加えられ、即ち、過回転もしくは過負荷される。従って、レール締結装置を、上記に対して予め配慮されているように、および、同様に傾倒の際にも、この締付け部材のねじり脚部、および同様に枕木ねじ止め部も、過負荷されることが排除されているように構成することは望ましい。
【０００６】
これら公知の解決策の１つの解決策の場合、締付けモーメントは、ただ枕木用ねじまたはＴ字形フックねじの締め付けを介してだけ、間接的に形成され得る。この締付け部材の締付け力は、その際、付加的にこの枕木用ねじの予負荷力に作用し、このことによって、この枕木用ねじが、付加的に負荷される。更に、この締付け部材の組み付けは、専ら、ただ枕木用ねじまたはＴ字形フックねじを用いてだけで実現され得る。この締付け部材の広範な組み付け、即ち、ねじ無しでの、またはねじでもっての組み付けを、および必要な場合にねじ予負荷力の影響無しに、実現することは望ましい。
【特許文献１】ドイツ連邦共和国特許第３４  ００  １１０号明細書
【特許文献２】ドイツ連邦共和国特許第３９  １８  ０９１号明細書
【発明の開示】
【発明が解決しようとする課題】
【０００７】
従って、本発明の根底をなす課題は、冒頭に記載した様式のレール締結装置を、上記の欠点が回避されるように、即ち特に、締付け部材の簡単な幾何学的な構造が可能になり、且つ、製造コストがこのことに関して僅かに留まるように、改良することである。更に、信頼性の高い２段式の過負荷からの保護も実現されるべきであり、従って、この締付け部材は、時々の、通常と異なる高い力の生起の際に損傷を与えられない。更に、広範な、且つ必要のある場合にはねじ予負荷に依存しない、組み付け可能性が提供されるべきである。
【課題を解決するための手段】
【０００８】
本発明によるこの課題の解決策は、締付け部材が、２つの、有利には基本的に互いに指向する平行にねじり脚部を有しており、
これらねじり脚部が、組み付けられた状態において、少なくとも十分に、保持板と固定アンカーとの間に設けられており、その際、これら両方のねじり脚部が、レールと反対側において、結合部分によって互いに結合されていることによって特徴付けられている。
更に、このレールの方を向いた、これらねじり脚部の端部において、それぞれ１つの、バックル形状（schlaufenfoermiger）の締付け部分が設けられており、
バックル形状に締付け部分の端部がこれらねじり脚部の端部の領域に到達する程度まで延在するために、
この締付け部分が、これらねじり脚部に引き続いて、先ず第一に、基本的に面に対して垂直方向に延在しており、この領域で、これら締付け部分の端部が、レール底部の上で当接面を形成している。
更に、締付け部材の締付けられていない状態において、
これらねじり脚部が、結合部分と共に、基本的に、第１の面内において位置しており、且つ、バックル形状の締付け部分の少なくとも一部分が、第２の面内において位置しており、その際、この第２の面が、この第１の面に対して、軸線を中心として回転されており、この軸線が、この第１の面でもっての、対称面の切断軸線（Schnittachse）に対して平行に指向している。
【発明の効果】
【０００９】
組み付けられた状態において、締付け部材の第２の面は、有利には、十分に第１の面と一致している。
【００１０】
レールの通常の負荷のもとで、組み付けられた状態において、有利には、締付け部材のバックル形状の締付け部分は、レール底部と接触している。締付け部分の端部が、この組み付けられた状態において、保持板内におけるこの端部のために設けられた窪み部内へと係合することは、しかしながら同様に可能である。従って、締付け部分の前面側の端部が、最終組み付け状態における水平方向の姿勢安定化のために、これら窪み部内へと係止することは達成され得る。この場合、場合によっては、同様に、この保持板内におけるこれら窪み部が、係止突出部、係止鼻状突起部を有しており、従って、これら締付け部分の端部が、保持板内において係止可能である。
【００１１】
バックル形状の締付け部分は、ねじり脚部の端部から、先ず第一に、基本的に面に対して垂直方向に指向し、湾曲形状の経過において再びこのレールへと指向するために、次いで、レールから離れるように指向する方向へと延在している。この場合、これらバックル形状の締付け部分は、有利には、少なくとも部分的に、Ｓ字形の経過を有している。この形態でもって、更に見て取れるように、締結システムのコンパクトな構造が達成される。
【００１２】
バックル形状の締付け部分は、有利には、平面図において、これら締付け部分の、レールの方を向いた部分内において、基本的に円形または長円形に形成されている。最適な締付け経過を、この締付け部材の材料内において保証するために、個別の機能区域の間の接続移行部は、その際に、大きな半径部、もしくは半径移行部を備えている。この締付け部材の経過に沿ってのこれら個別の半径部、もしくは半径移行部は異なる大きさであることは可能である。
【００１３】
バックル形状の締付け部分は、ねじり脚部に引き続いて、先ず第一に、基本的に、垂直方向に、対称面から離れるように延在している。
【００１４】
上記のこれら面の間、即ち、第１の面と第２の面との間の角度は、締付け部材の締め付けされていない状態において、５°と３０°との間にある。
【００１５】
バックル形状の締付け部分の端部は、直線部分として形成されている。これら直線部分は、有利には、互いに平行に指向している。
【００１６】
バックル形状の締付け部分の端部、特に、直線部分は、溝形状の凹部を有することが可能であり、この溝形状の凹部が、レール底部の丸みを付けた半径部の上での載置面として形成されている。従って、所定の、確実な当接が、レール底部に沿って可能である。
【００１７】
過負荷状況のための準備がなされているために、それぞれのバックル形状の締付け部分は、第１の当接面を、この締付け部分の側面領域内において、レール底部に沿っての当接のために有しており、この第１の当接面が、レール頭部における高い横方向力の状況でのレールの傾斜の際に（第１の過負荷状況）、同様に、しかしながら著しく低減された梃子運動でもって、レール底部と接触する。更に、それぞれのバックル形状の締付け部分は、第２の当接面を、固定アンカーに沿っての当接のために有しており、この第２の当接面が、第１の過負荷状況を越える、レールに対して作用する力の第２のより強度な過負荷状況の場合に、固定アンカーと接触する。
【００１８】
保持板は、レール床板内において一体にまとめられている。
【００１９】
保持板と固定アンカーは、２つの部材から成るように形成されていることは可能である。
この保持板と固定アンカーは、Ｔ字形フックねじを用いて結合されているか、または、ばらばらに成らないようにされている。
【００２０】
固定アンカーは、板状に形成されており、且つ、ねじによって固定される。
【００２１】
保持板と固定アンカーが、１つの部材から成るように形成されていることは可能である。
【００２２】
固定アンカーは、この固定アンカーの下側面において、この固定アンカーの、レールの方を向いた、側方の端部領域内において、当接面を、バックル形状の締付け部分のために有している。更に、この固定アンカーは、この固定アンカーの下側面において、この固定アンカーの、レールと反対側の側方の端部領域内において、それぞれに１つの第１の溝形状の係止凹部を、予組み付け状態における締付け部材の係止のために有している。更に、この固定アンカーは、この固定アンカーの下側面において、この固定アンカーの、レールと反対側の側方の端部領域内において、それぞれに１つの第２の溝形状の係止凹部を、中立状態における締付け部材の係止のために有している。最後に述べれば、この固定アンカーは、この固定アンカーの下側面において、２つの溝形状の当接面を、最終組み付けされた状態におけるねじり脚部の当接のために有している。
【００２３】
固定アンカーが、枕木用ねじ、もしくは、この枕木用ねじと結合された円盤状の座金によって形成されていることも可能である。
【００２４】
保持板は、２つの、レールの長手方向軸線に対して垂直方向に延在する、アーチ状の凹部を、締付け部材の組み付けの際の、この締付け部材の案内のために有していることは可能である。この保持板は、２つの当接面を、締付け部材の組み付けられた状態における、締付け部材の当接のために有していることは可能である。更に、この保持板は、この保持板の下側面において、このレールの長手方向軸線の方向に延在する突出部を、枕木内における、相応する窪み部内への係合のために有している。
【００２５】
提案された実施形態でもって、締付け部材が、経済的な方法で、生産され得ることは達せられる。この締付け部材は、比較的に僅かな構造空間を有しており、従って、この提案されたレール締結装置が、多数の使用状況のために使用され得る。
【００２６】
更に、レール締結装置の２段式の過負荷保護が、過負荷状況のために与えられており。従って、レールの過度に大きな傾倒は、確実に防止され、且つ、湾曲締付け部材（Buegels）の可塑的な変形が回避される。
【００２７】
図内において、本発明の実施例が図示されている。
【発明を実施するための最良の形態】
【００２８】
図１から４内において、軌道設備のための、力一体的で弾性的なレール締結装置の基本的な構造が見て取れる。レール６は、枕木２、またはレール床板（図２３参照）の上で固定されねばならない。この目的で、この枕木２に、この枕木２内における窪み部２４が設けられており、この窪み部の形状は、この枕木２の上に載置されている保持板３の突出部と一致している。この窪み部２４は、形状において、公知のばね受台（Winkelfuhrungsplatte）に相応していること、または他の様式において構成されていることは可能である。枕木用ねじ１２を用いて、板状に形成された固定アンカー４は、保持板３、もしくは枕木２に固定される。この固定アンカー４と保持板３との間に、締付け部材１が設けられており、この締付け部材は、この締付け部材の組み付けられた状態において、圧縮力がレール底部５に作用し、且つ従って、このレール６が所望の位置において保持される。
【００２９】
図２内において見て取れるように、締付け部材１は、対称的に形成されており、その際、対称面７が、垂直方向に配設されており、且つレール６の長手方向軸線８の上に鉛直に立っている。
【００３０】
締付け部材１の特有の構造は、図５から１０から明瞭である。
【００３１】
特に図５から明瞭であるように、締付け部材１は、２つのねじり脚部１ａ′および１ａ″から成っており、これらねじり脚部が、対称面７に対して対称的に配設されており、且つ、互いに平行に指向している。これらねじり脚部は、結合部分１ｂを介して互いに結合されている。ねじり脚部１ａ′、１ａ″の端部１ｃ′、もしくは１ｃ″に、バックル形状の締付け部分１ｄ′、１ｄ″が設けられており、即ち、丸くされた部分を介して、このねじり脚部１ａ′、１ａ″は、この締付け部分１ｄ′、１ｄ″に移行する。この締付け部分１ｄ′、１ｄ″は、この締付け部分が、この締付け部材１に対しての平面眺望において（図５参照）、基本的に円形、または長円形に形成されているように構成されている。
この締付け部分１ｄ′、１ｄ″は、この締付け部分の端部１ｅ′、１ｅ″に至るまで  −円形に形成された状態で−  延在しており、この端部が、このねじり脚部１ａ′、１ａ″の端部１ｃ′、１ｃ″の近傍において位置するに至っている。
【００３２】
この端部１ｅ′、１ｅ″は、直線部分１ｆ′、１ｆ″として形成されており、且つ、通常の作動状況において、レール底部５の上側面に対して押圧することのために設けられている。図７、８、および１０から見て取れるように、この目的で、溝形状の凹部１ｇ′、１ｇ″が、締付け部材１内へと、および特に直線部分１ｆ′、１ｆ″内へと形成されており、従って、この締付け部材１は、この直線部分１ｆ′、１ｆ″の領域内において、平面状に（ただ点状にだけでなく）、このレール底部５の丸味の付いたアール部の上で載置する。
【００３３】
図６内において特に見て取れるように、両方のねじり脚部１ａ′、１ａ″は、結合部分１ｂと共に、基本的に、第１の面９内において位置している。締付け部分１ｄ′、１ｄ″の一部分は、しかしながら、第２の面１０内において位置しており、その際、この面１０が、この面９に対して、軸線１１を中心として角度αだけ回転されている。この軸線１１は、その際、この第１の面９でもっての、対称面７の切断軸線に対して平行に整向されており、この軸線が、図６内において、即ち、図示面に対して鉛直に立っている。この角度αは、その際、締付けられていないか、もしくはただ部分的に締付けられた（teilverspannten）だけの状態において、約５°から３０°の値である。
【００３４】
この実施形態によって、締付け部材１の組み付けの後、ただ直線部分１ｆ′、１ｆ″の領域内だけにおいて、締付け部材１の所定の当接の状態となることが達成される。通常の作動状況において、この締付け部材１は、レール底部５と、その他には接触しない。
【００３５】
図８から見て取れるように、最適に、保持板３、もしくは固定アンカー４と協働するために、締付け部材１は、全体として、幾分湾曲された状態で形成されている。
同様にこの図からも、どのように、締付け部分１ｄ′、１ｄ″の最も前方の部分が、ねじり脚部の面からねじり出されているかが、再び明確に見て取れる。
【００３６】
レール６の頭部に対して側方への、過度に高い水平方向力の状況において、即ち、このレール６が、このレールの長手方向軸線８を中心として、傾倒運動を被らせられている場合、締付け部材１の、如何なる損傷もしくは過負荷も生じ得ないために、以下の予防措置が講ぜられている。
【００３７】
締付け部材において、即ち、バックル形状の締付け部分１ｄ′、１ｄ″の領域内において、
この締付け部分１ｄ′、１ｄ″の側面領域１ｉ′、１ｉ″において、第１の当接面１ｈ′、１ｈ″が設けられている。レール６の比較的に強度な傾倒の状況において、レール底部５は、付加的に、この当接面１ｈ′、１ｈ″に対して押圧し、このことによって、このレール底部５に対する締付け部材１の弾性力が増大される。この第１の当接面１ｈ′、１ｈ″によって、即ち、過負荷からの保護の第１の段階が提供される。
【００３８】
レール６の傾倒運動が更により大きくなる場合、締付け部分１ｄ′、１ｄ″に、第２の当接面１ｋ′、１ｋ″が設けられており、この第２の当接面は、この締付け部分１ｄ′、１ｄ″の更なる上昇の際に、共に上昇され、且つ、固定アンカー４の当接面１５′、１５″（図１４参照）に押圧する。このことによって、この締付け部材１が過回転されず、且つこのことによって損傷されること無しに、このレール６の更なる傾倒に抗しての高い抵抗力が与えられる。
【００３９】
図１１および１２内において、使用される保持板３の可能な解決策が図解されている。下側面２２において、この保持板３は、突出部２３を有しており、この突出部の形状が、枕木２内における窪み部２４の形状と一致している（図３および４参照）。従って、この枕木２の上での、この保持板３の精密な当接は保証されている。上側面に、この保持板３は、組み付けの際の締付け部材１の挿入を容易にする、２つのアーチ状の凹部２０′、２０″を有している。最終組み付けされた状態において、この締付け部材１は、この保持板３の当接面２１′、２１″に当接している。アーチ状即ち凹状の凹部は、この締付け部材１が、後方から組み付け工具を用いて挿入される場合に有益であり、即ち、如何なる固定アンカー４の解離も必要ではない。これら凹部は、締付け部材が、比較的に大きな力の消費無しに後方から摺動することのために使用される。これら凹部無しに、この締付け部材は、摺動の際に、完全に、この締付け部材の最終締付け状態へと相互に圧縮される。
【００４０】
固定アンカー４は、図１３および１４内において見て取れる。この板状に形成された固定アンカー４の下側面１３は、いくつかの細部を有しており、これら細部が、最終組み付けされた位置内における、締付け部材１の組み付け、および保持を改善する。この固定アンカー４の、レールの方を向いた側方の端部領域１４′、１４″内において、先ず第一に、既に上述された当接面１５′、１５″が設けられており、これら当接面に、第２の過負荷からの保護段階内において、締付け部分１ｄ′、１ｄ″が、これらの第２の当接面１ｋ′、１ｋ″と共に当接する。
【００４１】
組み付けの際に、締付け部材１は、先ず第一に、
この締付け部材が、側方の端部領域１６′、１６″内において設けられている、即ち中へと成形されている、第１の溝形状の係止凹部１７′、１７″に当接する程度まで、
レールの方向に摺動される。
組み付けの後の、レール６の方向における、および従ってこの締付け部材の最終位置の方向における、この締付け部材１の更なる前進の際に、この締付け部材１は、第２の溝形状の係止凹部１８′、１８″内において位置するに至る。組み付け最終位置内において、この締付け部材１は、その場合に、溝形状の当接面１９′、１９″内において当接している。
【００４２】
レール締結装置の組み付け経過は、図１５から１８までから明瞭である。
【００４３】
図１５内において、予組み付け状態である、組み込みの第１の段階が見て取れる。固定アンカー４は、保持板３と共に、枕木用ねじ１２を用いて、（軌道において、または枕木製造工場内において）予組み付けされており、枕木用ねじ１２が、その際に、完全に締め付けられている。この保持板３と固定アンカー４との間に存在する空間内へと、締付け部材１が、先ず第一に、手でもって挿入される。組み付け部材工具を用いて、その場合に、この締付け部材１は、更にレールの方向に前進される。このことは、締付け部分１ｄ′、１ｄ″の最も前方の領域が、固定アンカー４内における第１の溝形状の係止凹部１７′、１７″内において位置するに至るまで行なわれる。
【００４４】
図１６は、中立状態である、組み込みの第２の段階を示している。締付け部材１は、この中立の状態において、締付け部分１ｄ′、１ｄ″の最も前方の領域が、固定アンカー４内における第２の溝形状の係止凹部１８′、１８″位置するに至る程度に、レールの方向に前進されている。この締付け部材１の状態において、このレール６の外への傾倒は、組み付け作業の間じゅう、防止されるべきである。その際に、僅かな締付け力が、この締付け部材１によって発生される。
【００４５】
中間段階である、組み込みの第３の段階において、図１７内において見て取れるように、締付け部材１は、更に、レールの方向に前進されている。この段階は、この締付け部材の変形が、中立の状態と最終締付け状態との間で具現される。この状態において、中間の締付け力は、締付け部材１によって発生される。この状態において、この締付け部材は、保持板と固定アンカーとの間でクランプされている。
【００４６】
図１８は、最終締付け状態である、組み込みの第４の段階を示している。締付け部材１は、今や、作動状態においてレールの傾倒（Aufkippen）を防止する。十分な最終締付け力が、使用状況に依存して発生される。この締付け部材１は、今や、３つの領域において当接、もしくは載置している。即ち：
直線部分１ｆ′、１ｆ″の領域内において、この締付け部材１は、レール底部５に対して押圧している。
固定アンカー４において、この締付け部材１は、溝形状の当接面１９′、１９″に当接している。
保持板３は、この締付け部材１と、当接面２１′、２１″において接触している。
【００４７】
締付け部材１の過負荷に対する処置は、図１９から明らかである。
【００４８】
過負荷からの保護の第１の段階において、締付け部材１のバックル形状の締付け部分１ｄ′、１ｄ″の第１の当接面１ｈ′、１ｈ″は、レール底部５の上に載置している。
【００４９】
第１の過負荷からの保護段階において、図１９内において、符号ｓ１で参照符号を付けられた、第１の間隔がゼロに近づき、即ち、バックル形状の締付け部分とレール底部との間の接触が生じる。
【００５０】
過負荷からの保護の第２の段階において、バックル形状の締付け部分１ｄ′、１ｄ″が、第２の当接面１ｋ′、１ｋ″と共に、固定アンカー４の当接面１５′、１５″において支持される。
【００５１】
第２の過負荷からの保護段階において、図１９内において、符号ｓ２で参照符号を付けられた、第２の間隔ｓ２がゼロに近づき、即ち、この締付け部分と固定アンカーとの間の接触の状態となる。
【００５２】
この実施例において、バックル形状の締付け部分１ｄ′、１ｄ″は、ねじり脚部１ａ′、１ａ″に引き続いて、対称面７から離れるように延在している。基本的に、同様に締付け部分１ｄ′、１ｄ″が、対称面７に向かって延在することも可能である。
【００５３】
保持板３は、この実施例において、別個の構造部材として形成されている。この保持板３が、リブ板の構成要素であること、または、この保持板が、分離不能に固定アンカー４結合されていることも可能である。
【００５４】
図示された組み付け処理方法は、締付け部材１の挿入の前に、枕木用ねじ１２が、最終回転トルクでもって締付けられていることを顧慮している。枕木用ねじ１２が、締付け部材１の挿入の後に初めて、（完全に）締付けられること、詳しく言うとつまり、例えば枕木製造工場内において、即ちレールの組み付けの前に予組み付け状態において、または、このレールの組み付けの後に中立状態または最終締付け状態において、（完全に）締付けられることも同様に可能である。
【００５５】
図２０内において、レール締結装置の保持板３の、しかも上方から見ての透視図が見て取れる。図１１に従う解決策との相違は、基本的に、レールに向いた保持板３の端部に、締付け部材１の締付け部分の端部１ｅ′、１ｅ″の載置のために設けられている、窪み部２５が配置されていることにある。これら窪み部２５は、従って、組み付けられた状態における、この締付け部材１の位置固定のために使用される。
【００５６】
この様式の窪み部２５は、同様に、図２１内において図示されているような解決策の場合にも行なわれ得る。ここで、保持板３および固定アンカー４は、そのことが自体公知であるように、１つの部材から成るように構成されている。レールの組み付け、もしくは取り外しは、ここで、組み付け工具としての、適当に成形された装着かぎ爪もしくは引出しかぎ爪（Aufzieh- bzw. Abziehkralle）でもって行なわれる。
【００５７】
図２２は、図２１に従う、即ち保持板３および固定アンカー４が１つの部材から成るように形成されている解決策を示しており、その際、ここで、更に、コンクリート製枕木用アンカー２７が設けられており、このコンクリート製枕木用アンカーが配設の固定部の役目を果たす。このコンクリート製枕木用アンカー２７は、形状一体的に、コンクリート製枕木内へと埋設され得る。
【００５８】
図２３内において、レール床板２８が見て取れ、このレール床板内へと、保持板３が一体にまとめられており、且つ、固定アンカー４が、再び１つの部材から成るように、共に附設するように形成されている。どのように、レール６がこのレール床板２８の上で、締付け部材１を用いて固定されているかは、図２４から明瞭である。このレール床板２８内へのこの保持板３の合体は、例えば、このレール床板の製造の際に、（一体鋳造による）原形の成形（Urformen）によって行なわれる。この合体は、しかしながら同様に、例えば、別個の部材として、このレール床板２８の上に溶接されることも可能である。
【００５９】
図２５、および２６は、１つの選択的な実施形態を示している。ここで、固定アンカー４は、別個の部材として形成されており、この部材が、Ｔ字形フックねじ２６を用いて、レール床板２８と結合されている。締付け部材１の極めて平坦な構造様式に基づいて、この締付け部材は、分岐器領域、またはクロッシング領域内における基本レール締付け装置、または主レール締付け装置としても使用される。
【００６０】
図２７は、分岐器領域のためのスライド座板（Gleitstuhlplatte）２９を示しており、このスライド座板の上にレール６が締付け部材１でもって固定されている。
【００６１】
締付け部材の１つのバリエーションは、図２８および２９から明瞭である。ここで、両方のねじり脚部１ａ′、および１ａ″は、互いに平行に指向しているのではなく、むしろ結合部分１ｂと共にＶ字形に形成されている。
【００６２】
上記の実施例は、本発明による提案が、全ての、従来使用状態にある、関連する、レール締付け部材の固定バリエーションが、１つの締付け部材様式によって実現され得ることを示している。
【００６３】
上記の実施例の場合、常に、枕木用ねじ１２が固定アンカー４を固定する。このことは、その場合にあって、しかしながら必然的なことではない。同様にこの固定アンカー４の放棄のもとで、この枕木用ねじ１２が、直接的にこの締付け部材に作用し、且つこの締付け部材を固定することは可能である。この目的で、図３０から３５までが、１つの適当な実施形態を示している。この枕木用ねじ１２は、円盤状の座金と結合されていること、もしくは、このような円盤状の座金を有していることは可能である。図３０から３２内において、締付け部材は、先ず第一に、未だに予組み付け状態にある。図３３から３５内において、この締付け部材１は、この締付け部材の最終的な既組み付け状態に移動されている。組み付けに関しては、上記の実施形態を参照して戴きたい。
【００６４】
締付け部材１の選択的な実施形態は、図３６から３８までから明瞭であり、および、図３９内において、最終組み付けされた状態における、この締付け部材１を有するレール締結装置が見て取れる。
【００６５】
例えば図５内において図示された締付け部材１の実施形態と、図３６から３８内において示された解決策との間の相違は、バックル形状の締付け部分１ｄ′、１ｄ″の成形状態が異なっている点にある。図５による解決策の場合のように、この締付け部材１は、先ず第一に、ねじり脚部１ａ′、１ａ″の端部１ｃ′、１ｃ″から、対称面７から離れるように延在しており、これによって、しかも次いでレール６から離れるように後方へと指向している。この締付け部材１は、端部１ｅ′、１ｅ″においてレール底部５の上に位置するに至るために、バックル形状に、再び、レール６の方向に指向している（バックル形状の締付け部分１ｄ′、１ｄ″）。これらバックル形状の締付け部分１ｄ′、１ｄ″のために、従って、Ｓ字形の経過が、これらねじり脚部１ａ′、１ａ″から、端部１ｅ′、１ｅ″に至るまで与えられる。この図５による解決策の場合、移行は、部分的に直線状に指向する（図５内における部分１ｋ′、１ｋ″を参照）。
【００６６】
図３６から３８まで内において図示された実施形態は、更に、載置面（例えば、図１０内における参照符号１ｇ′、１ｇ″を参照）が変化されることによって特徴付けられる。この解決策の場合、図３６、および３９から見て取れるように、端部１ｅ′、１ｅ″は、レール底部上側面の上で、レール６の長手方向に対して平行になるまで傾斜した状態で載置している。図５による上記で述べた解決策の場合、端部１ｅ′、１ｅ″は、基本的に、レール長手方向軸線に対して直角に載置している。
【００６７】
端部１ｅ′、１ｅ″における載置面１ｇ′、１ｇ″は、図３６から３９による解決策の場合、簡単に平坦にされており、且つ、レール底部上側面の上に載置される。このことによって、締付け部材１とレール底部５との間の載置面、即ち接触面は、拡大され、且つ従って、長手方向内におけるレール６の移動による付加的な磨耗は防止される。
【００６８】
図３６から３９による解決策に関して、例えば、レール継ぎ目板３１が取り付けられている場合、そのことを図３９が示しているように、この解決策が、著しく小さな組込み空間を、レール腹部３０との間隔に関して有することが認められる。従って、図３６から３９までによる、この解決策は、本発明の有利な１つの実施形態である。
【００６９】
図４０から４５まで内において図示された、締付け部材１のバリエーションは、図３６から３９までによる締付け部材のバリエーションと類似している。この解決策の場合、しかしながら、締付け部分１ｄ′、１ｄ″の端部１ｅ′、１ｅ″が異なって成形されている。これら端部１ｅ′、１ｅ″は、ここで、４５°に等しいか或いはより大きい角度だけ、内側へと湾曲されている（特に図４１を参照）。この屈曲された端部１ｅ′、１ｅ″は、完全に、場合によっては設けられる、平坦にされた下側面でもって、レール底部上側面の上に載置される。
【００７０】
締付け部材１の更なる変更されたバリエーションは、図４６から５１から明瞭である。ここで、バックル形状の締付け部分１ｄ′、１ｄ″は、短縮された状態で形成されており、上記の実施形態と比較して、レール６の方を向いた締付け部分の端部領域が切断されており、従って、この締付け部分が、単に痕跡として残った状態で（rudimentaer）形成されている。本発明のこのようなバリエーションは、組込み空間が極めて制限されている場合に使用される。まさに、本発明のコンセプトは、何ひとつそれだけいっそう無いにも係わらず、レールの信頼性の高い締付けを可能にする。この組込み空間は、例えば、特別のレール継ぎ目板によって、通常の標準的なレール締結装置の載置が、さもないともはや可能でない程度に制限されている。
【図面の簡単な説明】
【００７１】
【図１】透視図での、軌道設備のレールの力一体的で弾性的な締結装置の図である。
【図２】図１による、装置の平面図である。
【図３】透視図での、図１のレール締結装置の分解図である。
【図４】下からの注視の方向における、図３による分解図である。
【図５】レール締結装置の、締付けられていない状態の締付け部材の平面図である。
【図６】締付け部材の正面図（図５による眺望Ａ）である。
【図７】より低く配設された注視の角度における、図６に相応する眺望の図である。
【図８】締付け部材の側面図（図５による眺望Ｂ）である。
【図９】上からの眺望における、締付け部材の透視図である。
【図１０】下からの眺望における、締付け部材の透視図である。
【図１１】上からの眺望における、レール締結装置の保持板の透視図である。
【図１２】下からの眺望における、図１１による、保持板の透視図である。
【図１３】上からの眺望における、レール締結装置の固定アンカーの透視図である。
【図１４】下からの眺望における、図１３による、固定アンカーの透視図である。
【図１５】組み付け第１の段階の間の、即ち予組み付け状態における、レール締結装置の側面図である。
【図１６】組み付け第２の段階の間の、即ち中立状態における、レール締結装置の側面図である。
【図１７】組み付け第３の段階の間の、即ち中間段階の状態における、レール締結装置の側面図である。
【図１８】組み付けの終了の後の、レール締結装置の側面図である。
【図１９】レールの頭部における、過度に高い水平方向力の際の、レールの傾倒を防止するための過負荷保護の、図１８に相応するの図である。
【図２０】締付け部材の端部のための窪み部を有する、上からの眺望における、レール締結装置の保持板の透視図である。
【図２１】固定アンカーと共に１つの部材から成るように形成された状態の、保持板の透視図である。
【図２２】コンクリート製枕木用アンカーを有する固定アンカーと共に、１つの部材から成るように形成された保持板選択的な実施形態の図である。
【図２３】固定アンカーと共に、一体にまとめられた保持板を有するレール床板の図である。
【図２４】図２３によるレール床板の上に、締付け部材を用いて固定されたレールの図である。
【図２５】その際に固定がＴ字形フックねじによって行なわれる、別個に固定された固定アンカーを有する、図２４に対して別の実施形態の図である。
【図２６】下方から見た、且つ、部分的に断面の状態で図示された、図２５による装置の図である。
【図２７】分岐器領域のためのスライド座板を有する、本発明の別の実施形態の図である。
【図２８】代案として形成された締付け部材の透視図である。
【図２９】図２８による締付け部材の平面図である。
【図３０】側面図での、そのレール締結装置の場合に固定アンカーが枕木用ねじによって形成され、しかも予組み付け状態における、該レール締結装置の図である。
【図３１】平面図での、そのレール締結装置の場合に固定アンカーが枕木用ねじによって形成され、しかも予組み付け状態における、該レール締結装置の図である。
【図３２】透視図での、そのレール締結装置の場合に固定アンカーが枕木用ねじによって形成され、しかも予組み付け状態における、該レール締結装置の図である。
【００７２】
【図３３】側面図での、しかも最終組み付け状態における、図３０から３２によるレール締結装置の図である。
【図３４】平面図での、しかも最終組み付け状態における、図３０から３２によるレール締結装置の図である。
【図３５】透視図での、しかも最終組み付け状態における、図３０から３２によるレール締結装置の図である。
【図３６】上からの眺望における、代案として形成された締付け部材の透視図である。
【図３７】図３６による締付け部材の正面図（図３６による眺望Ａ）である。
【図３８】図３６による締付け部材の側面図（図３６による眺望Ｂ）である。
【図３９】透視図での、最終組み付け状態における、図３６から３８までによる締付け部材を有するレール締結装置の図である。
【図４０】上からの眺望における、更に別の代案として形成された締付け部材の透視図である。
【図４１】図４０による締付け部材の平面図である。
【図４２】図４０による締付け部材の側面図である。
【図４３】側面図での、最終組み付け状態における、図４０から４２までによる締付け部材を有するレール締結装置の図である。
【図４４】透視図での、最終組み付け状態における、２つの異なる注視の方向での図４０から４２までによる締付け部材を有するレール締結装置の図である。
【図４５】透視図での、最終組み付け状態における、２つの異なる注視の方向での図４０から４２までによる締付け部材を有するレール締結装置の図である。
【図４６】上からの眺望における、更に別の代案として形成された締付け部材の透視図である。
【図４７】他の注視の方向での、図４６による締付け部材の透視図である。
【図４８】図４６、もしくは４７による、締付け部材の側面図である。
【図４９】側面図での、最終組み付け状態における、図４６から４８までによる締付け部材を有するレール締結装置の図である。
【図５０】透視図での、最終組み付け状態における、２つの異なる注視の方向での図４６から４８までによる締付け部材を有するレール締結装置の図である。
【図５１】透視図での、最終組み付け状態における、２つの異なる注視の方向での図４６から４８までによる締付け部材を有するレール締結装置の図である。
【符号の説明】
【００７３】
１        締付け部材
１ａ′    ねじり脚部
１ａ″    ねじり脚部
１ｂ      結合部分
１ｃ′    ねじり脚部の端部
１ｃ″    ねじり脚部の端部
１ｄ′    バックル形状の締付け部分
１ｄ″    バックル形状の締付け部分
１ｅ′    締付け部分の端部
１ｅ″    締付け部分の端部
１ｆ′    直線部分
１ｆ″    直線部分
１ｇ′    溝形状の凹部
１ｇ″    溝形状の凹部
１ｈ′    第１の当接面
１ｈ″    第１の当接面
１ｉ′    側面領域
１ｉ″    側面領域
１ｋ′    第２の当接面
１ｋ″    第２の当接面
２        枕木
３        保持板
４        固定アンカー
５        レール底部
６        レール
７        対称面
８        長手方向軸線
９        第１の面
１０      第２の面
１１      軸線
１２      枕木用ねじ
１３      固定アンカーの下側面
１４′    側方の端部領域
１４″    側方の端部領域
１５′    当接面
１５″    当接面
１６′    側方の端部領域
１６″    側方の端部領域
１７′    第１の溝形状の係止凹部
１７″    第１の溝形状の係止凹部
１８′    第２の溝形状の係止凹部
１８″    第２の溝形状の係止凹部
１９′    溝形状の当接面
１９″    溝形状の当接面
２０′    アーチ状の凹部
２０″    アーチ状の凹部
２１′    当接面
２１″    当接面
２２      保持板の下側面
２３      突出部
２４      枕木内における窪み部
２５      窪み部
２６      Ｔ字形フックねじ
２７      コンクリート製枕木用アンカー
２８      レール床板
２９      スライド座板
３０      レール腹部
３１      レール継ぎ目板
α        角度
ｓ１      第１の間隔
ｓ２      第２の間隔
【図１】
2008523274.tif 000003
【図２】
2008523274.tif 000004
【図３】
2008523274.tif 000005
【図４】
2008523274.tif 000006
【図５】
2008523274.tif 000007
【図６】
2008523274.tif 000008
【図７】
2008523274.tif 000009
【図８】
2008523274.tif 000010
【図９】
2008523274.tif 000011
【図１０】
2008523274.tif 000012
【図１１】
2008523274.tif 000013
【図１２】
2008523274.tif 000014
【図１３】
2008523274.tif 000015
【図１４】
2008523274.tif 000016
【図１５】
2008523274.tif 000017
【図１６】
2008523274.tif 000018
【図１７】
2008523274.tif 000019
【図１８】
2008523274.tif 000020
【図１９】
2008523274.tif 000021
【図２０】
2008523274.tif 000022
【図２１】
2008523274.tif 000023
【図２２】
2008523274.tif 000024
【図２３】
2008523274.tif 000025
【図２４】
2008523274.tif 000026
【図２５】
2008523274.tif 000027
【図２６】
2008523274.tif 000028
【図２７】
2008523274.tif 000029
【図２８】
2008523274.tif 000030
【図２９】
2008523274.tif 000031
【図３０】
2008523274.tif 000032
【図３１】
2008523274.tif 000033
【図３２】
2008523274.tif 000034
【図３３】
2008523274.tif 000035
【図３４】
2008523274.tif 000036
【図３５】
2008523274.tif 000037
【図３６】
2008523274.tif 000038
【図３７】
2008523274.tif 000039
【図３８】
2008523274.tif 000040
【図３９】
2008523274.tif 000041
【図４０】
2008523274.tif 000042
【図４１】
2008523274.tif 000043
【図４２】
2008523274.tif 000044
【図４３】
2008523274.tif 000045
【図４４】
2008523274.tif 000046
【図４５】
2008523274.tif 000047
【図４６】
2008523274.tif 000048
【図４７】
2008523274.tif 000049
【図４８】
2008523274.tif 000050
【図４９】
2008523274.tif 000051
【図５０】
2008523274.tif 000052
【図５１】
2008523274.tif 000053
【国際調査報告】
2008523274.tif 000054
2008523274.tif 000055
2008523274.tif 000056
2008523274.tif 000057